(57)【要約】【課題】円筒状のガイド筒に固定コアが固定され、可動コアがガイド筒内に進退可能に収容され、円筒状の弁ハウジングが固定コアとは反対側からガイド筒に同軸に連設され、弁孔を中央部に開口させた弁座を有する弁座部材が前記弁ハウジング内に収容、固定され、弁座に着座し得る弁体が可動コアに固定される電磁弁において、ガイド筒および弁ハウジングを連設するにあたってローリングカシメを不要とし、ローリングカシメを用いることによって生じる課題を解決した上でガイド筒に弁ハウジングを確実に固定する。【解決手段】弁ハウジング１５のガイド筒１７側の端部に、弁ハウジング１５の一部を折り曲げて成る二重円筒部３８が形成され、当該二重円筒部３８がガイド筒１７の固定コア１６とは反対側の端部に嵌合、固定される。【選択図】      図１
2014149073.tif 000002
【特許請求の範囲】
【請求項１】
円筒状のガイド筒（１７）に固定コア（１６）が固定され、前記固定コア（１６）に対向して配置されるとともに前記固定コア（１６）から離反する方向に付勢された可動コア（１８）が前記ガイド筒（１７）内に進退可能に収容され、前記ガイド筒（１７）とは別部材である円筒状の弁ハウジング（１５）が前記固定コア（１６）とは反対側から前記ガイド筒（１７）に同軸に連設され、弁孔（３２）を中央部に開口させた弁座（３３）を有する弁座部材（３４）が前記弁ハウジング（１５）内に収容、固定され、前記弁座（３３）に着座し得る弁体（３５）が前記可動コア（１８）の前記弁座部材（３４）側の端部に固定される電磁弁において、前記弁ハウジング（１５）の前記ガイド筒（１７）側の端部に、該弁ハウジング（１５）の一部を折り曲げて成る二重円筒部（３８）が形成され、当該二重円筒部（３８）が前記ガイド筒（１７）の前記固定コア（１６）とは反対側の端部に嵌合、固定されることを特徴とする電磁弁。
【請求項２】
前記弁ハウジング（１５）に、前記ガイド筒（１７）の前記固定コア（１６）とは反対側の端部に当接するフランジ部（３９）が半径方向外方に張り出すようにして形成されることを特徴とする請求項１記載の電磁弁。
【請求項３】
前記二重円筒部（３８）が、内筒部分（３８ａ）と、略Ｕ字状の横断面形状を有して前記内筒部分（３８ａ）の一端部から外側方に湾曲した湾曲部分（３８ｂ）と、前記内筒部分（３８ａ）を囲繞するようにして前記湾曲部分（３８ｂ）に連なるとともに前記ガイド筒（１７）の前記固定コア（１６）とは反対側の端部に嵌合、固定される外筒部分（３８ｃ）とを有し、前記フランジ部（３９）が、前記外筒部分（３８ｃ）の前記湾曲部分（３８ｂ）とは反対側の端部から半径方向外方に張り出すようにして前記二重円筒部（３８）と一体に形成されることを特徴とする請求項２記載の電磁弁。
【請求項４】
前記二重円筒部（３８）が前記ガイド筒（１７）の前記固定コア（１６）とは反対側の端部に圧入されることを特徴とする請求項１〜３のいずれか１項に記載の電磁弁。
【発明の詳細な説明】
【技術分野】
【０００１】
本発明は、円筒状のガイド筒に固定コアが固定され、前記固定コアに対向して配置されるとともに前記固定コアから離反する方向に付勢された可動コアが前記ガイド筒内に進退可能に収容され、前記ガイド筒とは別部材である円筒状の弁ハウジングが前記固定コアとは反対側から前記ガイド筒に同軸に連設され、弁孔を中央部に開口させた弁座を有する弁座部材が前記弁ハウジング内に収容、固定され、前記弁座に着座し得る弁体が前記可動コアの前記弁座部材側の端部に固定される電磁弁に関する。
【背景技術】
【０００２】
ガイド筒および弁ハウジングを連設するために、弁ハウジング側の端部にローリングカシメによって縁曲げ結合部が形成されるようにしたものが、特許文献１で開示されている。
【先行技術文献】
【特許文献】
【０００３】
【特許文献１】特表２００４−５０５８３４号公報
【発明の概要】
【発明が解決しようとする課題】
【０００４】
ところが上記特許文献１で開示されるものでは、ガイド筒および弁ハウジングを連設するにあたってローリングカシメを施す必要があるので、処理時間がかかるという課題や、ローリングカシメを施す装置が必要になるという課題が生じる。またローリングカシメでは、部品に曲げ代を設けておく必要があり、部品の大型化を招いてしまい、部品同士がしっかりと嵌合していない状態でローリングカシメを施すと、結合後に部品相互間でがたつきが生じてしまう。
【０００５】
本発明は、かかる事情に鑑みてなされたものであり、ガイド筒および弁ハウジングを連設するにあたってローリングカシメを不要とし、ローリングカシメを用いることによって生じる課題を解決した上で、ガイド筒に弁ハウジングを確実に固定し得るようにした電磁弁を提供することを目的とする。
【課題を解決するための手段】
【０００６】
上記目的を達成するために、本発明は、円筒状のガイド筒に固定コアが固定され、前記固定コアに対向して配置されるとともに前記固定コアから離反する方向に付勢された可動コアが前記ガイド筒内に進退可能に収容され、前記ガイド筒とは別部材である円筒状の弁ハウジングが前記固定コアとは反対側から前記ガイド筒に同軸に連設され、弁孔を中央部に開口させた弁座を有する弁座部材が前記弁ハウジング内に収容、固定され、前記弁座に着座し得る弁体が前記可動コアの前記弁座部材側の端部に固定される電磁弁において、前記弁ハウジングの前記ガイド筒側の端部に、該弁ハウジングの一部を折り曲げて成る二重円筒部が形成され、当該二重円筒部が前記ガイド筒の前記固定コアとは反対側の端部に嵌合、固定されることを第１の特徴とする。
【０００７】
また本発明は、第１の特徴の構成に加えて、前記弁ハウジングに、前記ガイド筒の前記固定コアとは反対側の端部に当接するフランジ部が半径方向外方に張り出すようにして形成されることを第２の特徴とする。
【０００８】
本発明は、第２の特徴の構成に加えて、前記二重円筒部が、内筒部分と、略Ｕ字状の横断面形状を有して前記内筒部分の一端部から外側方に湾曲した湾曲部分と、前記内筒部分を囲繞するようにして前記湾曲部分に連なるとともに前記ガイド筒の前記固定コアとは反対側の端部に嵌合、固定される外筒部分とを有し、前記フランジ部が、前記外筒部分の前記湾曲部分とは反対側の端部から半径方向外方に張り出すようにして前記二重円筒部と一体に形成されることを第３の特徴とする。
【０００９】
さらに本発明は、第１〜第３の特徴の構成のいずれかに加えて、前記二重円筒部が前記ガイド筒の前記固定コアとは反対側の端部に圧入されることを第４の特徴とする。
【発明の効果】
【００１０】
本発明の第１の特徴によれば、弁ハウジングをガイド筒に嵌合、固定することでガイド筒に弁ハウジングが固定されるので、ガイド筒および弁ハウジングを連設するにあたってローリングカシメを不要とし、ローリングカシメを用いることによって生じる課題、すなわち処理時間がかかるという課題や、ローリングカシメを施す装置が必要になるという課題が生じることはなく、処理時間を短縮して生産性の向上を図ることができるとともに設備コストを低減することができる。しかも弁ハウジングに形成される二重円筒部がガイド筒に嵌合されるので、二重円筒部から作用する半径方向外方に向けての反力をガイド筒に半径方向内方から作用させて確実な固定ができるとともに、ガイド筒および弁ハウジングの連設部の強度向上を図ることができる。
【００１１】
また本発明の第２の特徴によれば、弁ハウジングに形成されるフランジ部が、ガイド筒の固定コアとは反対側の端部に当接するので、ガイド筒に対する弁ハウジングの軸方向位置決めが容易となる。
【００１２】
本発明の第３の特徴によれば、フランジ部が、二重円筒部における外筒部分から半径方向外方に張り出すようにして二重円筒部と一体に形成されるので、フランジ部を二重円筒部と同時に形成するようにして容易に形成することができる。
【００１３】
さらに本発明の第４の特徴によれば、二重円筒部がガイド筒に圧入されるので、弁ハウジングを簡単な組み付け作業でガイド筒に連設することができる。
【図面の簡単な説明】
【００１４】
【図１】常閉型電磁弁の縦断面図である。
【発明を実施するための形態】
【００１５】
本発明の実施の形態について、添付の図１を参照しながら説明すると、この常閉型電磁弁は、車両の液圧式車輪ブレーキと、リザーバとの間に設けられるものであり、たとえばアルミニウム合金等の軽合金から成る基体１１に配設される。
【００１６】
前記基体１１には、基体１１の一面１１ａに外端部を開口するとともに内端部には端壁１２ａを有する装着孔１２が設けられており、前記常閉型電磁弁は、前記装着孔１２に収容されるようにして前記基体１１に固定される弁ハウジング１５を有する弁部１３と、前記基体１１の一面１１ａから突出するようにして該基体１１の一面１１ａに取付けられて前記弁部１３を駆動する電磁力を発揮するソレノイド部１４とで構成される。
【００１７】
前記ソレノイド部１４は、固定コア１６と、該固定コア１６が一端部に固定される円筒状のガイド筒１７と、前記固定コア１６に対向しつつ前記ガイド筒１７に進退可能に収容される可動コア１８と、該可動コア１８を前記固定コア１６から離反させる方向のばね力を発揮するようにして前記固定コア１６および前記可動コア１８間に縮設されるばね１９と、前記ガイド筒１７を嵌合させるコイル組立体２０と、このコイル組立体２０の軸方向両端部で前記固定コア１６および前記ガイド筒１７に磁気的に結合するようにして前記コイル組立体２０に装着されるヨーク２１とを備え、前記固定コア１６は、前記ガイド筒１７の一端部に圧入して溶接されることで前記ガイド筒１７の一端部に固定される。
【００１８】
前記コイル組立体２０は、前記ガイド筒１７を嵌合させる中心孔２２を中心部に有して合成樹脂により円筒状に形成されるボビン２３と、該ボビン２３に巻装されるコイル２４と、ボビン２３およびコイル２４を被覆して円筒状に形成される合成樹脂製の被覆部２５とから成る。
【００１９】
前記ヨーク２１は、磁性金属から成るヨークケース２６と、該ヨークケース２６に結合される磁性金属製のヨーク板２７とから成るものであり、前記ヨークケース２６は、前記ガイド筒１７を嵌合させる短円筒部２６ａと、前記コイル組立体２０の前記基体１１側の端部に対向、当接して前記短円筒部２６ａの外端部に内端部が直角に連なる端板部２６ｂと、前記コイル組立体２０の外周の少なくとも一部を側方から覆うようにして一端部が前記端板部２６ｂの外端部に直角に連なる側壁部２６ｃとを一体に有し、前記ヨーク板２７は、前記コイル組立体２０の前記基体１１とは反対側の端部に対向、当接するようにして前記側壁部２６ｃの他端部に結合される。前記固定コア１６は、その一部が前記ガイド筒１７から突出するようにして前記ガイド筒１７の一端部に圧入されるものであり、前記ヨーク板２７の中央部に設けられる透孔２８に前記固定コア１６の前記ガイド筒１７からの突出部が挿通される。
【００２０】
前記ボビン２３には、前記ヨーク２１から前記基体１１とは反対側に突出する突部２３ａが一体に形成されており、前記コイル２４の両端部に電気的に連なる一対の接続端子２９…が前記突部２３ａから突出される。これらの接続端子２９…は、コイルばねから成るものであり、前記基体１１との間に前記ソレノイド部１４を挟む位置に固定配置される基板の接続部（図示せず）に弾発的に当接して、基板との電気的接続を果たすとともにコイル組立体２０を基板１１側に押しつけるばね力を発揮し、前記ヨークケース２６の前記端板部２６ｂが前記基体１１の前記一面１１ａに押しつけられることで前記ソレノイド部１４は前記基体１１の前記一面１１ａに位置決め固定される。
【００２１】
前記装着孔１２は、その内端のテーパ状の端壁１２ａと、端壁１２ａの大径端に一端部が連なる第１孔部１２ｂと、第１孔部１２ｂよりも大径に形成されて第１孔部１２ｂの他端部に一端部が同軸に連なる第２孔部１２ｃと、第２孔部１２ｃよりも大径に形成されて第２孔部１２ｃの他端部に一端部が同軸に連なる第３孔部１２ｄと、第３孔部１２ｄよりも大径に形成されて第３孔部１２ｄの他端部に一端部が同軸に連なる第４孔部１２ｅと、第４孔部１２ｅよりも大径に形成されて第４孔部１２ｅの他端部に一端部が同軸に連なるとともに他端部が前記基体１１の前記一面１１ａに開口する第５孔部１２ｆとが同軸に連なって成る。
【００２２】
前記ガイド筒１７の前記固定コア１６とは反対側の端部には、半径方向外方に張り出すガイド筒側フランジ部１７ａが一体に設けられる。このガイド筒側フランジ部１７ａは前記装着孔１２における第４および第５孔部１２ｅ，１２ｆ間に形成される環状段部１２ｇに軸方向外方から当接される。また前記ガイド筒側フランジ部１７ａには、前記ガイド筒１７を囲繞して前記装着孔１２の開口端部に挿入されるリング状のプラグ２９が当接されており、前記ガイド筒側フランジ部１７ａを前記環状段部１２ｇに当接させた状態で前記プラグ２９に、前記装着孔１２における第５孔部１２ｆの内周の一部をかしめて係合することで、前記ガイド筒１７が基体１１に固定される。
【００２３】
前記基体１１には、前記液圧式車輪ブレーキに接続される入口通路３０が、前記装着孔１２の第３孔部１２ｄの内面に開口するようにして設けられるとともに、前記リザーバに接続される出口通路３１が前記装着孔１２における前記端壁１２ａの中央に開口するようにして設けられる。
【００２４】
前記弁部１３は、前記弁ハウジング１５と、前記出口通路３１に連なる弁孔３２を中心部に開口させた弁座３３を有して前記弁ハウジング１５内に収容、固定される弁座部材３４と、前記弁座３３に着座することを可能として前記可動コア１８の前記弁座部材３４側の端部にかしめ結合等で固定される球状の弁体３５とを備える。
【００２５】
前記弁ハウジング１５は、前記ガイド筒１７とは別部材として段付き有底の円筒状に形成されるものであり、前記弁孔３２および前記出口通路３１間を連通させる連通孔３６が中心部に設けられた端壁１５ａを前記出口通路３１側に有して前記装着孔１２の第２孔部１２ｃに圧入される有底円筒部１５ｂと、該有底円筒部１５ｂの開口端に小径端が同軸に連なるテーパ部１５ｃと、該テーパ部１５ｃの大径端に同軸に連なる円筒部１５ｄとを一体に有し、前記弁座部材３４は、その一部が前記有底円筒部１５ｂに圧入されることで前記弁ハウジング１５に固定される。
【００２６】
前記弁ハウジング１５の前記ガイド筒１７側の端部には、該弁ハウジング１５の一部を折り曲げて成る二重円筒部３８が形成され、この二重円筒部３８が前記ガイド筒１７の前記固定コア１６とは反対側の端部に嵌合、固定されることで前記弁ハウジング１５が前記ガイド筒１５に連設されるものであり、この実施の形態で前記二重円筒部３８は前記ガイド筒１７の前記固定コア１６とは反対側の端部に圧入される。
【００２７】
前記二重円筒部３８は、前記弁ハウジング１５の円筒部１５ｄの一部で形成される内筒部分３８ａと、略Ｕ字状の横断面形状を有して前記内筒部分３８ａの一端部から外側方に湾曲した湾曲部分３８ｂと、前記内筒部分３８ａを囲繞するようにして前記湾曲部分３８ｂに連なるとともに前記ガイド筒１７の前記固定コア１６とは反対側の端部に嵌合、固定される外筒部分３８ｃとを有する。
【００２８】
前記弁ハウジング１５には、前記ガイド筒１７の前記固定コア１６とは反対側の端部の前記ガイド筒側フランジ部１７ａに当接するフランジ部３９が半径方向外方に張り出すようにして形成されるものであり、このフランジ部３９は、前記外筒部分３８ｃの前記湾曲部分３８ｂとは反対側の端部から半径方向外方に張り出すようにして前記二重円筒部３８と一体に形成される。
【００２９】
前記ガイド筒１７および前記弁ハウジング１５内で、前記弁座部材３４および前記可動コア１８間には、前記弁体３５が前記弁座３３から離座した状態で前記弁孔３２に通じる弁室４０が形成されており、この弁室４０に通じる複数の通路孔４１，４１…が前記弁ハウジング１５における円筒部１５ｄに設けられる。
【００３０】
前記弁ハウジング１５の外周には、複数の前記通路孔４１，４１…を外側方から覆うフィルタ４２の支持枠４３が嵌装、保持されており、フィルタ４２が装着された状態の弁ハウジング１５が装着孔１２に挿入されつつ基体１１に固定されたときに、前記フィルタ４２および前記弁ハウジング１５と、前記装着孔１２の内周との間には、前記入口通路３０に通じる環状室４４が形成され、この環状室４４は前記フィルタ４２および前記通路孔４１，４１…を介して前記弁室４０に連通する。
【００３１】
このような常閉型電磁弁において、前記ソレノイド部１４の前記コイル２４が非通電状態にあるときに、前記可動コア１８は前記ばね１９のばね力で前記固定コア１６から離反しており、前記弁体３５は前記弁座部材３４の前記弁座３３に着座して前記弁孔３２を閉鎖し、前記弁部１３は閉弁状態となる。また前記コイル２４の通電状態では前記可動コア１７が前記ばね１９のばね力に抗して前記固定コア１６に近接する側に移動し、前記弁体３５が前記弁座３３から離座して前記弁孔３２を開放し、前記弁部１３は開弁状態となる。
【００３２】
次にこの実施の形態の作用について説明すると、円筒状のガイド筒１７に固定コア１６が固定され、円筒状の弁ハウジング１５が固定コア１６とは反対側からガイド筒１７に同軸に連設されるのであるが、弁ハウジング１５のガイド筒１７側の端部に、該弁ハウジング１５の一部を折り曲げて成る二重円筒部３８が形成され、当該二重円筒部３８が前記ガイド筒１７の前記固定コア１６とは反対側の端部に嵌合、固定されるので、ガイド筒１７および弁ハウジングを連設するにあたってローリングカシメを不要とし、ローリングカシメを用いることによって生じる課題、すなわち処理時間がかかるという課題や、ローリングカシメを施す装置が必要になるという課題が生じることはなく、処理時間を短縮して生産性の向上を図ることができるとともに設備コストを低減することができる。しかも弁ハウジング１５に形成される二重円筒部３８がガイド筒１７に嵌合されるので、二重円筒部３８から作用する半径方向外方に向けての反力をガイド筒１７に半径方向内方から作用させて確実な固定ができるとともに、ガイド筒１７および弁ハウジング１５の連設部の強度向上を図ることができる。
【００３３】
しかもガイド筒１７および弁ハウジング１５は別部材であるので、ガイド筒１７および弁ハウジング１５の板厚を相互に異なって設定することが可能であり、たとえば磁気回路内に存在する前記ガイド筒１７を薄肉とし、基体１１の装着孔１２の第２孔部１２ｃに圧入されることによって強度が必要される前記弁ハウジング１５を厚肉とすることができる。
【００３４】
また弁ハウジング１５に、前記ガイド筒１７の前記固定コア１６とは反対側の端部の前記ガイド筒側フランジ部１７ａに当接するフランジ部３９が半径方向外方に張り出すようにして形成されるので、ガイド筒１７に対する弁ハウジング１５の軸方向位置決めが容易となる。
【００３５】
また二重円筒部３８が、内筒部分３８ａと、略Ｕ字状の横断面形状を有して前記内筒部分３８ａの一端部から外側方に湾曲した湾曲部分３８ｂと、前記内筒部分３８ａを囲繞するようにして前記湾曲部分３８ｂに連なるとともに前記ガイド筒１７の前記固定コア１６とは反対側の端部に嵌合、固定される外筒部分３８ｃとを有し、前記フランジ部３９が、前記外筒部分３８ｃの前記湾曲部分３８ｂとは反対側の端部から半径方向外方に張り出すようにして前記二重円筒部３８と一体に形成されるので、フランジ部３９を二重円筒部３８と同時に形成するようにして容易に形成することができる。
【００３６】
さらに二重円筒部３８が前記ガイド筒１７の前記固定コア１６とは反対側の端部に圧入されるので、弁ハウジング１５を簡単な組み付け作業でガイド筒１７に連設することができる。
【００３７】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００３８】
１５・・・弁ハウジング
１６・・・固定コア
１７・・・ガイド筒
１８・・・可動コア
３２・・・弁孔
３３・・・弁座
３４・・・弁座部材
３５・・・弁体
３８・・・二重円筒部
３８ａ・・・内筒部分
３８ｂ・・・湾曲部分
３８ｃ・・・外筒部分
３９・・・フランジ部
【図１】
2014149073.tif 000003